(57)【要約】【課題】視覚効果処理部材に施された視覚効果処理を観察者が容易に視認できるようにする。【解決手段】化粧材４は、光透過性を有し、視覚効果処理が施された視覚効果処理部材５と、  光源からの光が照射される視覚効果処理部材の面とは反対の面側に配置され、指向性反射特性を有する第１の光反射部材６と、視覚効果処理部材が配置される第１の光反射部材の面とは反対の面側に配置され、拡散反射または正反射の特性を有する第２の光反射部材７と、を備える。【選択図】図１
2015039841.tif 000002
【特許請求の範囲】
【請求項１】
光透過性を有し視覚効果処理が施された視覚効果処理部材と、指向性反射特性を有する第１の光反射部材と、拡散反射または正反射の特性を有する第２の光反射部材とを、この順で積層して備えることを特徴とする化粧材。
【請求項２】
前記第１の光反射部材は、前記光源からの光を指向性反射させる際に反射角度範囲を制限するプリズムシートであることを特徴とする請求項１に記載の化粧材。
【請求項３】
前記プリズムシートは、シート面方向に配置される複数の単位プリズムを有し、
前記複数の単位プリズムのそれぞれの主断面形状は略台形であることを特徴とする請求項２に記載の化粧材。
【請求項４】
前記プリズムシートは、シート面方向に配置される複数の単位プリズムを有し、
前記複数の単位プリズムのそれぞれの主断面形状は略三角形であることを特徴とする請求項２に記載の化粧材。
【請求項５】
所定方向への反射輝度が所定値以上になるように、前記単位プリズムの傾斜面の形状および傾斜角度の少なくとも一方が調整されることを特徴とする請求項３または４に記載の化粧材。
【請求項６】
前記視覚効果処理部材と前記第１の光反射部材との間に配置される電子表示部材を備えることを特徴とする請求項１乃至５のいずれかに記載の化粧材。
【請求項７】
前記視覚効果処理部材と前記第１の光反射部材との間に配置される太陽電池パネル部材を備えることを特徴とする請求項１乃至５のいずれかに記載の化粧材。
【請求項８】
前記視覚効果処理部材の模様は、印刷ドットの大きさを可変させて濃淡を表す振幅変調方式を利用したグラビア印刷で作製されることを特徴とする請求項１乃至７のいずれかに記載の化粧材。
【発明の詳細な説明】
【技術分野】
【０００１】
本発明は、何等かの意匠が施された化粧材に関する。
【背景技術】
【０００２】
従来の建材内装シートでは、鏡面反射（正反射）と拡散反射の割合を調整することで、独特な風合いや質感を出すようにしていた（特許文献１参照）。例えば、シート表面が平坦であれば、鏡面反射の傾向が強くなり、シート表面を凹凸にして拡散粒子を配置すると、拡散反射の傾向を強くすることができる。
【先行技術文献】
【特許文献】
【０００３】
【特許文献１】特開２０１１−７３２０７号公報
【発明の概要】
【発明が解決しようとする課題】
【０００４】
上述したように、従来の建材内装シートは、シート表面を鏡面反射にするか、または拡散反射にしていたため、所望の方向に効率的に光を反射させることは困難である。
【０００５】
建材内装シートには、木目等の意匠が施されているが、照明光源の入射位置によっては、建材内装シートの一部分のみが明るく照らされて、シート全面の意匠が観察者に視認されない場合がある。シート全面が明るく照らされるように、照明光源の位置を変えたり、複数の照明光源を設けることも考えられるが、室内では、照明光源を設置可能な場所は制限されることも多く、また、複数の照明光源を設けるのは、省エネルギー化の観点からも望ましくない。
【０００６】
本発明は、上述した課題を解決するためになされたものであり、その目的は、視覚効果処理部材に施された視覚効果処理を観察者が容易に視認できるようにしてアイキャッチ効果を向上させた化粧材を提供するものである。
【課題を解決するための手段】
【０００７】
上記の課題を解決するために、本発明の一態様に係る化粧材は、光透過性を有し視覚効果処理が施された視覚効果処理部材と、指向性反射特性を有する第１の光反射部材と、拡散反射または正反射の特性を有する第２の光反射部材とを、この順で積層して備える。
【０００８】
前記第１の光反射部材は、前記光源からの光を反射させる際に反射角度範囲を制限するプリズムシートでもよい。
【０００９】
前記プリズムシートは、シート面方向に配置される複数の単位プリズムを有し、
前記複数の単位プリズムのそれぞれの主断面形状は略台形でもよい。
【００１０】
前記プリズムシートは、シート面方向に配置される複数の単位プリズムを有し、
前記複数の単位プリズムのそれぞれの主断面形状は略三角形でもよい。
【００１１】
所定方向への反射輝度が所定値以上になるように、前記単位プリズムの傾斜面の形状および傾斜角度の少なくとも一方を調整してもよい。
【００１２】
前記視覚効果処理部材と前記第１の光反射部材との間に配置される電子表示部材を備えてもよい。
【００１３】
前記視覚効果処理部材と前記第１の光反射部材との間に配置される太陽電池パネル部材を備えてもよい。
【００１４】
前記視覚効果処理部材の模様は、印刷ドットの大きさを可変させて濃淡を表す振幅変調方式を利用したグラビア印刷で作製されてもよい。
【発明の効果】
【００１５】
本発明によれば、視覚効果処理部材に施された視覚効果処理を観察者は容易に視認でき、アイキャッチ効果を向上できる。
【図面の簡単な説明】
【００１６】
【図１】本発明の一実施形態に係る化粧材４を室内の壁材として用いる例を示す図。
【図２】（ａ）は化粧材４の表面の輝度を示す図、（ｂ）は光の進行方向を模式的に示す図。
【図３】化粧材４の断面構造を詳細に示す図。
【図４】化粧材４の斜視図。
【図５】第１の光反射部材６における単位プリズム１１の主断面形状が三角形の場合の化粧材４の一例を示す図。
【図６】視覚効果処理部材５と第１の光反射部材６の間にシート状の電子表示部材２０を設けた化粧材４の一例を示す断面図。
【図７】化粧材４の指向性反射性能に関する測定結果を示すグラフ。
【発明を実施するための形態】
【００１７】
以下、本発明の実施の形態について、詳細に説明する。
図１は本発明の一実施形態に係る化粧材４を室内の壁材として用いる例を示す図である。図１の化粧材４は、壁材としてだけでなく、室内灯等の光源２からの光を受けることが可能な場所、例えば、天井や階段の壁面等の材料として広く用いることができる。
【００１８】
図１の化粧材４は、最表面に配置される視覚効果処理部材５と、視覚効果処理部材５の下面側に配置される第１の光反射部材６と、第１の光反射部材６の下面側に配置される第２の光反射部材７とを備えている。
【００１９】
第１の光反射部材６は、光源２からの光を反射させる際に、その反射光の少なくとも一部が特定の領域または位置に向けて反射されるように指向性反射を行う。すなわち、第１の光反射部材６は、その部材表面からの反射光の少なくとも一部が特定の領域または位置に向けて反射されるような指向性反射特性を有する。
【００２０】
第２の光反射部材７は、拡散反射または鏡面反射（正反射）の特性を有する。ここで、拡散反射とは、入射光を種々の方向に反射させることであり、正反射とは光の入射角度に依存する方向に反射させることである。
【００２１】
図１の化粧材４を照明する光源２は、例えば蛍光灯、白熱灯、ＬＥＤ光源または有機ＥＬ光源等であり、複数の光源２を設けてもよい。本実施形態では、室内の天井８に光源２を設置し、天井８から床まで延在される壁９の少なくとも一部に図１の化粧材４を配置する例を説明する。
【００２２】
視覚効果処理部材５は、光透過性を有し、その部材表面には視覚効果処理が施されている。ここで、視覚効果処理とは、部材表面を観察する観察者が、視覚的に認識できる何等かの処理または模様を指し、例えば、記号数字文字情報や画像情報などの意匠を施すことであり、画像情報はモノクロの濃淡画像でもよいし、カラー画像でもよい。また、視覚効果処理は、印刷技術を利用して部材表面に印字する場合だけでなく、部材表面に凹凸形状をつけて視覚効果を出してもよく、あるいは光学的な干渉縞を形成して、光の入射角度により画像が浮かび上がるようにしてもよい。
【００２３】
視覚効果処理を印刷にて行う場合、例えば、部材の表面に、印刷ドットの大きさを可変させて濃淡を表す振幅変調方式を利用したグラビア印刷を施すことが考えられる。これにより、通常の印刷物と同様に、低コストで高品質の視覚効果処理を行うことができる。
【００２４】
なお、視覚効果処理部材５は、部材自体で視覚効果を出す場合と、部材に視覚効果層を積層する場合とがある。
【００２５】
部材自体で視覚効果を出す場合は、視覚効果層は必要とせず、部材のみでよい。部材自体が視覚効果を持つものとしては、例えば、磨りガラス、障子、和紙、着色ガラス部材、着色樹脂部材等が挙げられる。
【００２６】
部材に視覚効果層を積層する場合、部材は光透過性を有する必要があり、例えば無機物製部材や樹脂製部材が挙げられる。無機物製部材は、例えばガラス部材であり、それに用いられるガラスは、ソーダライムガラス、無アルカリガラス、石英ガラス等を用いることができる。樹脂製部材に用いられる樹脂としては、例えば、ポリプロピレン、ポリエチレン、ポリ塩化ビニル、ポリスチレン、ポリビニルアルコール、ポリイミド、ポリエチレンナフタレート、ポリエチレンテレフタレート、ポリカーボネート、ポリエーテルイミド、ポリエーテルエーテルケトン、ポリエーテルケトン、ポリフェニレンスルフィド、液晶ポリマー、エポキシ樹脂、シリコーン樹脂、フェノール樹脂、アクリル樹脂、ポリカーボネート樹脂、スチロール、トリアセチルセルロース（ＴＡＣ）等を挙げることができる。
【００２７】
第１の光反射部材６は、視覚効果処理部材５を通過して二以上の方向から入射される光の少なくとも一部分を、所望の方向、例えば、化粧材４の面の法線方向またはその近傍の方向に反射させる。これにより、強い光を発する光源２や複数の光源２を設けなくても、光源２からの光を化粧材４で反射させて所望の方向を照明できるため、光源２の光を無駄なく利用でき、省エネルギー化を実現することができる。すなわち、本実施形態に係る化粧材４は、間接光源として利用可能である。しかも、化粧材４は、指向性反射を行う第１の光反射部材６を有するため、例えば、室内の特定箇所を照明する目的で利用可能である。
【００２８】
本明細書において、「化粧材４の面」とは、場合によって、化粧材４全体としての対向する一方または両方の面と、化粧材４を構成する任意の部材の一方または両方の面とを示す意味合いで用いられる。また、本明細書において用いる、形状や幾何学的条件を特定する用語、例えば、「平行」、「直交」、「四角形」等の用語については、厳密な意味に縛られることなく、同様の光学的機能が得られる程度の形状や幾何学的条件の差異を含めて解釈することとする。
【００２９】
図２は、室内の天井８に光源２を設けるとともに、図１の化粧材４を壁材として用いた例を示す図であり、図２（ａ）は化粧材４の表面の輝度を示す図、図２（ｂ）は光の進行方向を模式的に示す図である。図２（ａ）では、輝度の大小を模式的に濃淡で表している。
【００３０】
光源２から化粧材４に入射された光のうち一部は、視覚効果処理部材５で反射または吸収され、残りの光は視覚効果処理部材５を透過して第１の光反射部材６に入射される。第１の光反射部材６に入射された光のうち一部は、指向性反射されて、視覚効果処理部材５を透過して室内方向を進行する。また、第１の光反射部材６に入射された光の中には、第１の光反射部材６を透過して第２の光反射部材７で反射されるものもある。
【００３１】
第１の光反射部材６にて指向性反射された光は、視覚効果処理部材５を透過して室内方向に進行するため、室内側から見ると、図２（ａ）に示すように、視覚効果処理部材５の少なくとも一部の部分が明るく照らされて視認され、視覚効果処理部材５に施された意匠がより際だって外観に現れる。視覚効果処理部材５に施された視覚効果処理に応じて、光の透過率が場所によって異なるため、第１の光反射部材６や第２の光反射部材７により反射された光による視覚硬化処理部材５の表面の輝度も、場所によって変化する。
【００３２】
図３は化粧材４の断面構造を詳細に示す図、図４は化粧材４の斜視図である。第１の光反射部材６は、化粧材４の面４ａに沿って配置される複数の単位プリズム１１を有するプリズムシート１２である。複数の単位プリズム１１は、シート面の第１方向Ｘに沿って配置されており、各単位プリズム１１は第１方向Ｘに直交する第２方向Ｙに沿って延在されている。本明細書では、化粧材４を第１方向Ｘに沿って切断した場合の断面を主断面と呼ぶ。
【００３３】
図３のプリズムシート１２は、光源２からの光を反射させる際に反射角度範囲を制限できることを特徴とし、これにより指向性反射を実現している。
【００３４】
プリズムシート１２内の複数の単位プリズム１１の頂角付近は平坦面１３になっており、その主断面形状は台形である。台形の上底は第２の光反射部材７に接している。各単位プリズム１１は、その台形の上底に連なる第１傾斜面１４と第２傾斜面１５を有する。複数の単位プリズム１１における第１傾斜面１４の形状は共通であり、同様に複数の単位プリズム１１における第２傾斜面１５の形状も共通である。したがって、複数の単位プリズム１１用の複数の第１傾斜面１４は平行に配置され、複数の第２傾斜面１５も平行に配置されている。また、これら第１傾斜面１４と第２傾斜面１５は、シート面の第１方向Ｘに沿って交互に配置されている。
【００３５】
図３の例では、第１傾斜面１４と第２傾斜面１５のそれぞれは、平坦面もしくは、１箇所以上で折れ曲がった折れ面である。したがって、第１傾斜面１４と第２傾斜面１５のそれぞれは、第１の光反射部材６の主断面において、シート面に対する傾斜角度θａまたはθｂが２箇所以上で異なっている。
【００３６】
より具体的には、図３の例では、第１傾斜面１４と第２傾斜面１５の傾斜角度をそれぞれ２通りに変化させている。台形の下底に連なる側の第１傾斜面１４の傾斜角度θa1を、台形の上底に連なる側の第１傾斜面１４の傾斜角度θa2よりも大きくしている。同様に、台形の下底に連なる側の第２傾斜面１５の傾斜角度θb1を、台形の上底に連なる側の第２傾斜面１５の傾斜角度θb2よりも大きくしている。
【００３７】
第１傾斜面１４と第２傾斜面１５のそれぞれの傾斜角度を２箇所以上で相違させることで、第１傾斜面１４のどこに光が入射されても、第１傾斜面１４での反射光が第２傾斜面１５に向かうようになり、光の利用効率が向上する。また、第１傾斜面１４と第２傾斜面１５のそれぞれの傾斜角度を２箇所以上で相違させることで、化粧材４への光の入射角度および入射位置が異なっても、化粧材４からの反射方向のばらつきを制限でき、指向性反射が可能となる。
【００３８】
また、図３の例では、第１傾斜面１４における傾斜角度θａと第２傾斜面１５における傾斜角度θｂとを相違させている。より具体的には、第１傾斜面１４内のすべての位置における傾斜角度θａを、第２傾斜面１５内のすべての位置における傾斜角度θｂよりも小さくしている。これにより、第１傾斜面１４に入射された光は、第２傾斜面１５の方向に進みやすくなって光の利用効率が向上し、かつ第１傾斜面１４で反射されて第２傾斜面１５に入射された光は、化粧材４の面４ａの法線方向に近い方向に進みやすくなって指向性反射が可能となる。
【００３９】
さらに、化粧材４における隣り合う二つの単位プリズム１１と第２の光反射部材７との間には、空隙が設けられている。これにより、単位プリズム１１部分の屈折率と空隙の屈折率との比率が大きくなり、単位プリズム１１の第１傾斜面１４および第２傾斜面１５に到達した光は、反射されやすくなる。
【００４０】
なお、単位プリズム１１の第１傾斜面１４と第２傾斜面１５の傾斜角度を各傾斜面の途中で変える代わりに、あるいは変えることに加えて、第１傾斜面１４と第２傾斜面１５の少なくとも一方の形状を各傾斜面の途中で変えてもよい。また、単位プリズム１１の第１傾斜面１４と第２傾斜面１５の形状と傾斜角度の少なくとも一方を、単位プリズム１１ごと、あるいは複数の単位プラズム１１ごとに、相違させてもよい。
【００４１】
第１の光反射部材６は、元となる部材上に、金型を用いて単位プリズム１１を賦型することにより作製することができる。部材としては、アクリル、スチレン、ポリカーボネート、ポリエチレンテレフタレート、アクリロニトリル等の一以上を主成分とする透明樹脂からなるフィルムを用いることができる。部材上に賦型される材料としては、エポキシアクリレートやウレタンアクリレート系の反応性樹脂（電離放射線硬化型樹脂等）を使用可能である。
【００４２】
第２の光反射部材７は、上述したように、拡散反射または鏡面（正）反射の反射特性を有するが、仮に反射特性が拡散反射である場合には、拡散特性は、等方拡散でもよいし指向性拡散でもよい。したがって、第２の光反射部材７として、種々の反射シートを用いることができる。
【００４３】
図３には、第１の光反射部材６への入射角度が異なる３種類の光の行路を矢印線で示している。これらの光Ｌ２１〜Ｌ２３は、視覚効果処理部材５を透過して、第１の光反射部材６の一方側の面に到達して屈折されて、単位プリズム１１の方向に進行する。単位プリズム１１の上底面に到達した光Ｌ２１は、この上底面に接する第２の光反射部材７で拡散反射され、第１の光反射部材６と視覚効果処理部材５を通過する際にも、さらに拡散されて、化粧材４の表面から室内方向に出射される。
【００４４】
上述したように、単位プリズム１１の第１傾斜面１４の入射角度を、第２傾斜面１５の入射角度よりも大きくしている。よって、第１傾斜面１４に入射された光Ｌ２２は、第１傾斜面１４で全反射して、第２傾斜面１５に向かう。第１傾斜面１４の傾斜角度よりも第２傾斜面１５の傾斜角度の方が大きいため、第２傾斜面１５に入射された光は、第２傾斜面１５で全反射されて、化粧材４の面４ａの法線方向に近い方向に進み、視覚効果処理部材５を透過して、室内の所定方向に進行する。
【００４５】
また、光源２から視覚効果処理部材５を透過して第２傾斜面１５に入射される光Ｌ２３の入射方向は、第２傾斜面１５の法線方向に近接している。このため、光Ｌ２３は、第２傾斜面１５で全反射することなく、高い透過率で第２傾斜面１５を透過する。この結果、第２傾斜面１５に入射する光Ｌ２３は、第２の光反射部材７で拡散反射し、第２の光反射部材７の拡散能の程度に応じた角度域に拡散されて、第１の光反射部材６が設置された室内に向けて進み出る。
【００４６】
このようにして、光源２から視覚効果処理部材５を透過して第１の光反射部材６に入射される光Ｌ２１〜Ｌ２３は、第２の光反射部材７での反射、あるいは第１傾斜面１４および第２傾斜面１５での反射、あるいは第２傾斜面１５での反射を経て、第１の光反射部材６から出射して、室内を照明するようになる。
【００４７】
図３では、第１の光反射部材６における単位プリズム１１の主断面形状が台形の例を示したが、主断面形状は三角形でもよい。図５は第１の光反射部材６における単位プリズム１１の主断面形状が三角形の場合の化粧材４の一例を示す図である。図５の場合も、三角形の第１傾斜面１４と第２傾斜面１５を図５のように折れ面やカーブ形状にして、第１傾斜面１４で反射された光ができるだけ第２傾斜面１５の方向に進むようにして光の利用効率を向上させ、かつ第２傾斜面１５で反射された光が化粧材４の面４ａの法線方向に近接した方向に進むようにして指向性反射を行うようにするのが望ましい。
【００４８】
図１では、化粧材４を、視覚効果処理部材５、第１の光反射部材６および第２の光反射部材７の３層構造にする例を示しているが、視覚効果処理部材５と第１の光反射部材６の間に、別個の視覚効果のためのシート状の電子表示部材を設けてもよい。
【００４９】
図６は視覚効果処理部材５と第１の光反射部材６の間にシート状の電子表示部材２０を設けた化粧材４の一例を示す断面図である。図６の電子表示部材２０は、透明電極部材２１と、対向電極部材２２と、表示媒体層２３とを有する電子ペーパである。透明電極部材２１は、不図示の透明部材と、この透明部材上に形成された不図示の透明電極を有する。対向電極部材２２は、不図示の対向部材と、この対向部材上に形成された不図示の対向電極とを有する。表示媒体層２３は、ツイストボール２４を含有する溶媒層２５と、これらツイストボール２４および溶媒層２５を封止する表示媒体層用部材２６とを有する。
【００５０】
このような電子表示部材２０を設けることで、視覚効果処理部材５による視覚効果と、電子表示部材２０に表示する任意の表示画像による視覚効果とを合成して観察者に提供でき、より木目の細かい視覚効果を実現できる。すなわち、視覚効果処理部材５による視覚効果は、固定的（静的）なものであるのに対し、電子表示部材２０による視覚効果は動的なものであり、例えば、視覚効果処理部材５による視覚効果を背景画像として用いて、電子表示部材２０により動画像（例えば、時計やテロップの画像）を表示させることができる。
【００５１】
なお、電子表示部材２０は、電子ペーパに限定されるものではなく、液晶表示装置や有機ＥＬ装置などの種々の平面表示装置が適用可能である。また、電子表示部材２０にて表示させる画像は、必ずしも動画像である必要はなく、静止画像を表示させてもよい。
【００５２】
また、電子表示部材２０の代わりに太陽電池パネルを視覚効果処理部材５と第１の光反射部材６との間に設けてもよい。視覚効果処理部材５は、光透過性を有するため、視覚効果処理部材５を透過して太陽電池パネルに入射される光により、電力を発生することができ、化石燃料の使用を削減でき、省エネルギー化を図ることができる。
【００５３】
このように、本実施形態に係る化粧材４は、光源２からの光を所望の方向に指向性反射させることができるため、化粧材４の反射光で特定箇所または特定方向を照明することができる。化粧材４からの光は、光源２からの光を利用したものであり、光源２の数や照明強度を増大しなくて済むことから、省エネルギ化が図れる。また、化粧材４は、視覚効果処理部材５と、指向性反射を行う第１の光反射部材６と、拡散反射または鏡面反射を行う第２の光反射部材７とを有するため、化粧材４の所定箇所（例えば、中央部）における視覚効果を際立たせることができる。また、化粧材４内の広範な領域における反射輝度を均一化させることも可能となり、視覚効果処理部材５による視覚効果が得られる範囲を広げることができる。このように、本実施形態によれば、化粧材４に施された視覚効果処理を目立たせるアイキャッチ効果を向上できる。
【００５４】
例えば、天井８に光源２があり、天井８から床にかけての壁９に反射シートを設けたとすると、光源２からの光の入射角度は反射シートの場所によって変化し、反射シートからの反射光は床の方向に進行してしまい、反射シートの表面も光源２に近い箇所のみが眩しく視認されてしまう。これに対して、本実施形態によれば、化粧材４からの光を例えば床面に平行に反射させることができ、化粧材４内の広い領域において、視覚効果処理部材５の模様をはっきりと視認できる。
【実施例】
【００５５】
本実施例では、化粧材４の面４ａに対する入射角度θ１が１０度のときに、面４ａの法線方向に対する出射角度θ３が９０度となるフィルムを第１の光反射部材６として用いた。また、第２の光反射部材７として、散乱反射機能を有する白色のＰＥＴフィルムを用いた。さらに、視覚効果処理部材５として、透過率がそれぞれ異なる複数の化粧シートを用意して、指向性反射機能について評価した。
【００５６】
指向性反射機能の評価には、ゴニオメーター(株式会社村上色彩技術研究所製、三次元変角分光システムＧＣＭＳ−１１)を使用して、各化粧材４の表面の輝度Ｙを測定し、指向性反射光の評価を行った。
【００５７】
また、化粧材４の透過率すなわち全光線透過率については、ヘイズメーター（スガ試験機株式会社製、HGM-2K）を用いて測定した。
【００５８】
これらの測定結果は図７のようになった。図示の横軸は全光線透過率、縦軸は化粧材４の表面の輝度Ｙである。黒プロットは視覚効果処理部材５を有する化粧材４の特性、白プロットは視覚効果処理部材５なしの化粧材４の特性を示している。
【００５９】
輝度Ｙは、指向性反射光の強さを表すとみなすことができる。図７には、黒プロットをつないだ曲線が描かれているが、プロット間の任意の全光線透過率に対応する輝度Ｙは、ほぼこの曲線上の値になるものと考えられる。
【００６０】
図７から明らかなように、化粧材４の全光線透過率と指向性反射の強さには相関があり、適切な全光線透過率を有する化粧シートを選定すれば、指向性反射特性と意匠性を両立させることができる。一般的に住宅向けに市販されている白色の壁紙では指向性反射の輝度Ｙが１００前後であることから、図７によれば、意匠シートの全光線透過率が少なくとも３０％以上であれば、壁紙以上の指向性反射性能が得られることがわかる。
【００６１】
本発明の態様は、上述した個々の実施形態に限定されるものではなく、当業者が想到しうる種々の変形も含むものであり、本発明の効果も上述した内容に限定されない。すなわち、特許請求の範囲に規定された内容およびその均等物から導き出される本発明の概念的な思想と趣旨を逸脱しない範囲で種々の追加、変更および部分的削除が可能である。
【符号の説明】
【００６２】
２  光源、４  化粧材、５  視覚効果処理部材、６  第１の光反射部材、７  第２の光反射部材、８  天井、９  壁、１１  単位プリズム、１２  プリズムシート、１３  平坦面、１４  第１傾斜面、１５  第２傾斜面、２０  電子表示部材、２１  透明電極部材、２２  対向電極部材、２３  表示媒体層、２４  ツイストボール、２５  溶媒層、２６  表示媒体層用部材
【図１】
2015039841.tif 000003
【図３】
2015039841.tif 000004
【図４】
2015039841.tif 000005
【図５】
2015039841.tif 000006
【図６】
2015039841.tif 000007
【図７】
2015039841.tif 000008
【図２】
2015039841.tif 000009